(57)【要約】【課題】充電に係る安全性を向上させることが可能な充電装置を提供する。【解決手段】充電対象の二次電池が着脱自在に装着される複数の装着部を備えた充電装置であって、前記装着部の各々に設けられ、自己の装着部に入力される入力電源を当該装着部に装着された前記二次電池に供給する充電手段と、前記装着部の各々に設けられ、自己の装着部に入力される入力電源の値が所定範囲内か否かに基づいて当該入力電源の異常を検出し、異常を検出すると、自己の装着部に設けられた前記充電手段からの供給を抑制する第１異常検出手段と、前記装着部の各々に設けられた前記充電手段の動作状況に基づいて当該充電手段の異常動作をそれぞれ検出し、異常動作を検出すると、当該充電手段からの供給を抑制する第２異常検出手段と、前記第２異常検出手段の出力信号に基づいて当該第２異常検出手段の異常動作を検出し、異常動作を検出すると、全ての前記充電手段からの供給を抑制する第３異常検出手段と、を備える。【選択図】図２
2014110652.tif 000002
【特許請求の範囲】
【請求項１】
充電対象の二次電池が着脱自在に装着される複数の装着部を備えた充電装置であって、
前記装着部の各々に設けられ、自己の装着部に入力される入力電源を当該装着部に装着された前記二次電池に供給する充電手段と、
前記装着部の各々に設けられ、自己の装着部に入力される入力電源の値が所定範囲内か否かに基づいて当該入力電源の異常を検出し、異常を検出すると、自己の装着部に設けられた前記充電手段からの供給を抑制する第１異常検出手段と、
前記装着部の各々に設けられた前記充電手段の動作状況に基づいて当該充電手段の異常動作をそれぞれ検出し、異常動作を検出すると、当該充電手段からの供給を抑制する第２異常検出手段と、
前記第２異常検出手段の出力信号に基づいて当該第２異常検出手段の異常動作を検出し、異常動作を検出すると、全ての前記充電手段からの供給を抑制する第３異常検出手段と、
を備える充電装置。
【請求項２】
前記装着部の各々に設けられ、自己の装着部への入力電源の入力／非入力を切り替える切替手段を更に備え、
前記第１異常検出手段、前記第２異常検出手段及び前記第３異常検出手段は、前記切替手段を非入力とすることで、前記充電手段からの供給を抑制する請求項１に記載の充電装置。
【請求項３】
前記切替手段は、前記第１異常検出手段、前記第２異常検出手段及び前記第３異常検出手段から出力される信号値の論理積に基づいて、前記入力電源の入力／非入力を切り替える請求項２に記載の充電装置。
【請求項４】
前記第１異常検出手段により前記入力電源の異常が検出された場合に、この入力電源が入力されるスロットを報知する第１報知手段を更に備える請求項１〜３の何れか一項に記載の充電装置。
【請求項５】
前記第２異常検出手段により前記充電手段の異常動作が検出された場合に、この充電手段が設けられたスロットを報知する第２報知手段を更に備える請求項１〜４の何れか一項に記載の充電装置。
【請求項６】
前記第３異常検出手段により前記第２異常検出手段の異常動作が検出された場合に、エラーを報知する第３報知手段を更に備える請求項１〜５の何れか一項に記載の充電装置。
【発明の詳細な説明】
【技術分野】
【０００１】
本発明の実施形態は、充電装置に関する。
【背景技術】
【０００２】
従来、二次電池を充電するために充電装置が使用されている。また、従来、充電中に二次電池に発生した異常を検出する技術が知られている。
【発明の概要】
【発明が解決しようとする課題】
【０００３】
しかしながら、上述したような従来技術では、充電装置自体の異常動作を検出することができないため、安全性の上で改善の余地があった。
【課題を解決するための手段】
【０００４】
本実施形態の充電装置は、充電対象の二次電池が着脱自在に装着される複数の装着部を備えた充電装置であって、前記装着部の各々に設けられ、自己の装着部に入力される入力電源を当該装着部に装着された前記二次電池に供給する充電手段と、前記装着部の各々に設けられ、自己の装着部に入力される入力電源の値が所定範囲内か否かに基づいて当該入力電源の異常を検出し、異常を検出すると、自己の装着部に設けられた前記充電手段からの供給を抑制する第１異常検出手段と、前記装着部の各々に設けられた前記充電手段の動作状況に基づいて当該充電手段の異常動作をそれぞれ検出し、異常動作を検出すると、当該充電手段からの供給を抑制する第２異常検出手段と、前記第２異常検出手段の出力信号に基づいて当該第２異常検出手段の異常動作を検出し、異常動作を検出すると、全ての前記充電手段からの供給を抑制する第３異常検出手段と、を備える。
【図面の簡単な説明】
【０００５】
【図１】図１は、実施形態に係る充電装置の外観構成の一例を示す図である。
【図２】図２は、実施形態に係る充電装置の構成の一例を示す図である。
【図３】図３は、図２に示した充電制御部の構成の一例を示す図である。
【図４】図４は、図２に示した第３異常検出部の構成の一例を示す図である。
【図５】図５は、実施形態に係る充電装置のセーフティ機能を説明するためのフローチャートである。
【発明を実施するための形態】
【０００６】
以下、添付図面を参照して、充電装置の実施形態を詳細に説明する。なお、以下に説明する実施形態は、充電装置の一実施形態であって、その構成や仕様等を限定するものではない。
【０００７】
図１は、本実施形態に係る充電装置１０の外観構成の一例を示す図である。同図に示すように、充電装置１０は、略長方体の筐体１を有する。筐体１には、区画フレーム３によって梯子状に区分けされた複数のスロット２が設けられている。
【０００８】
スロット２には、充電の対象となる電池パック２０が着脱自在に装着される。スロット２内には、給電端子（図示せず）が設けられており、当該給電端子と電池パック２０の受電端子２１とが接触することで、充電装置１０から電池パック２０に電源が供給される。ここで、電池パック２０は、携帯電話やハンディターミナル等の電子機器の二次電池（例えば充電式リチウムイオン電池）である。なお、図１では、スロット２を１０個備えた例を示しているが、スロット２の個数はこれに限らないものとする。
【０００９】
また、充電装置１０の筐体１には、単色又は多色の発光ダイオードである、第１ＬＥＤ４と、第２ＬＥＤ５とが設けられている。第１ＬＥＤ４は、後述する第３異常検出部１４の制御に従い、充電装置１０の状態を光の明滅や光の色等により提示する。第２ＬＥＤ５は、スロット２の各々に対応する位置にそれぞれ設けられており、後述するコントローラ１３の制御に従い、スロット２の状態を光の明滅や光の色により提示する。また、充電装置１０は、商用電源と接続するためのコンセントや、充電装置１０の電源オン／オフを切り替える電源スイッチ等を有する（何れも図示せず）。
【００１０】
図２は、充電装置１０の構成の一例を示す図である。同図に示すように、充電装置１０は、電源部１１と、充電ユニット１２と、コントローラ１３と、第３異常検出部１４と、インジケータ部１５とを備える。
【００１１】
電源部１１は、充電装置１０の駆動電力を装置内の各部に供給する。電源部１１は、例えば、図示しない商用電源から供給されたＡＣ電源を、充電装置１０の動作に適した所定電圧のＤＣ電源（例えば５Ｖ）に変換し、充電装置１０内の各部に供給する。
【００１２】
充電ユニット１２は、スロット２毎に設けられている。充電ユニット１２は、スイッチ素子１２１と、第１ＡＮＤ素子１２２と、第２ＡＮＤ素子１２３と、充電制御部１２４とを有する。
【００１３】
スイッチ素子１２１は、第１ＡＮＤ素子１２２から入力される信号値に応じて、電源部１１と第１ＡＮＤ素子１２２との間の接続をオン（接続状態）又はオフ（非接続状態）に切り替える。具体的に、スイッチ素子１２１は、第１ＡＮＤ素子１２２から、Ｈ（ハイレベル）信号が入力された場合に、電源部１１と第１ＡＮＤ素子１２２との間の接続をオンとする。また、スイッチ素子１２１は、第１ＡＮＤ素子１２２から、Ｌ（ローレベル）信号が入力された場合に、電源部１１と第１ＡＮＤ素子１２２との間の接続をオフとする。なお、本実施形態において、Ｈ信号は正常状態を意味し、Ｌ信号は異常状態を意味する。
【００１４】
第１ＡＮＤ素子１２２は、ＡＮＤゲートであって、第２ＡＮＤ素子１２３及び充電制御部１２４から入力される信号値に応じて、スイッチ素子１２１にＨ信号又はＬ信号を出力する。具体的に、第１ＡＮＤ素子１２２は、第２ＡＮＤ素子１２３及び充電制御部１２４の両方からＨ信号が入力された場合に、スイッチ素子１２１にＨ信号を出力する。また、第１ＡＮＤ素子１２２は、第２ＡＮＤ素子１２３及び充電制御部１２４の何れか又は両方からＬ信号が入力された場合に、スイッチ素子１２１にＬ信号を出力する。
【００１５】
第２ＡＮＤ素子１２３は、コントローラ１３及び第３異常検出部１４から入力される信号値に応じて、第１ＡＮＤ素子１２２にＨ信号又はＬ信号を出力する。具体的に、第２ＡＮＤ素子１２３は、コントローラ１３及び第３異常検出部１４の両方からＨ信号が入力された場合に、第１ＡＮＤ素子１２２にＨ信号を出力する。また、第２ＡＮＤ素子１２３は、コントローラ１３及び第３異常検出部１４の何れか又は両方からＬ信号が入力された場合に、第１ＡＮＤ素子１２２にＬ信号を出力する。
【００１６】
充電制御部１２４は、図示しないＡＳＩＣ（Application  Specific  Integrated  Circuit）やＣＰＵ（Central  Processing  Unit）等のプロセッサを有し自己のスロット２に装着された電池パック２０の充電を制御する。
【００１７】
ここで、図３は、充電制御部１２４の構成の一例を示す図である。同図に示すように、充電制御部１２４は、第１異常検出部１２４１と、充電プロファイル設定部１２４２と、温度検出部１２４３と、充電処理部１２４４と、動作状況記録部１２４５とを有する。なお、充電制御部１２４、第１異常検出部１２４１、充電プロファイル設定部１２４２、温度検出部１２４３、充電処理部１２４４及び動作状況記録部１２４５の一部又は全ては、プロセッサと図示しない記録媒体に記録されたプログラムとの協働により実現するソフトウェア構成としてもよいし、専用プロセッサ等のハードウェアにより実現するハードウェア構成としてもよい。
【００１８】
第１異常検出部１２４１は、電池パック２０から入力されるＤＣ電源（以下、入力電源という）の値が所定範囲内にあるか否かに基づいて、自スロット（充電ユニット１２）への入力電源の異常を検出する。より詳細には、第１異常検出部１２４１は、入力電源の電圧値及び電流値が、定格値の範囲内にあるか否かを判定する。
【００１９】
第１異常検出部１２４１は、入力電源が定格値の範囲外と判定すると、入力電源の異常を検出したと判定し、第１ＡＮＤ素子１２２に対しＬ信号を出力する。このＬ信号の出力によりスイッチ素子１２１はオフとなるため、自己の充電ユニット１２に対する入力電源の供給が停止する。なお、入力電源が定格値の範囲外となる要因としては、例えば、自スロットに過電圧や過電流の入力電源が供給されている場合や、電池パック２０の装着状態に異常がある場合等が挙げられる。
【００２０】
このように、第１異常検出部１２４１は、自スロットへの入力電源に異常が発生した場合に、自スロットでの充電を抑制するため、不用意に充電が行われてしまうことを防止することができる。なお、入力電源に異常が発生したことを利用者に報知するため、第１異常検出部１２４１から異常発生を示すエラー信号をコントローラ１３に出力する形態としてもよい。以下、充電ユニット１２（第１異常検出部１２４１）による充電抑制に係る機能を「第１のセーフティ機能」という。
【００２１】
なお、入力電源の電圧値及び電流値が定格値の範囲内にある場合、第１異常検出部１２４１は、入力電源は正常と判定する。この場合、第１異常検出部１２４１は、第１ＡＮＤ素子１２２に対しＨ信号を出力する。
【００２２】
充電プロファイル設定部１２４２は、充電処理部１２４４の充電動作に係る充電プロファイルを設定する。充電プロファイルには、充電時に供給する電圧値と電圧値との関係を示した制御情報が、各電池温度と関連付けて定義されている。充電プロファイルには、例えば、充電開始から第１時間までの間は一定の電流値Ｘで充電を行い、この第１時間以降は一定の電圧値Ｙで充電を行うことが定義されている（第１時間、Ｘ、Ｙは任意）。また、充電プロファイルには、例えば、電池温度の高低に応じて充電レートを変えることや、電池温度が特定の低温又は高温の範囲では充電レートを下げること等が定義されている。
【００２３】
なお、充電プロファイルは予め保持されているものとするが、その保持場所は特に問わないものとする。例えば、充電プロファイル設定部１２４２が内蔵する記録媒体に予め保持されている形態としてもよい。また、充電プロファイル設定部１２４２がアクセスすることが可能な外部の記憶媒体に予め保持されている形態としてもよい。また、電池パック２０自身が充電プロファイルを保持してもよい。この場合、充電プロファイル設定部１２４２は、図示しない給電端子等を介して電池パック２０から充電プロファイルを取得し、これを設定するものとする。
【００２４】
温度検出部１２４３は、自スロットに装着された電池パック２０の温度（以下、電池温度という）を検出し、検出した電池温度を充電処理部１２４４に出力する。ここで、電池温度を測定する主体は特に問わないものとする。例えば、電池パック２０が内蔵する温度センサで測定された電池温度を、図示しない給電端子等を介して温度検出部１２４３が取得（検出）する形態としてもよい。また、温度検出部１２４３が温度センサを有することで、自スロット内の温度や、装着された電池パック２０周辺の温度を電池温度として取得（検出）する形態としてもよい。
【００２５】
充電処理部１２４４は、充電プロファイルに基づき、入力電源の給電量を制御することで、自スロットに装着された電池パック２０の充電を制御する。具体的に、充電処理部１２４４は、充電プロファイル設定部１２４２が設定した充電プロファイルから、温度検出部１２４３が検出した電池温度に対応する制御情報を読み出す。そして、充電処理部１２４４は、読み出した制御情報に基づいて、電源部１１から入力された入力電源の給電量を調整し、図示しない給電端子を介して電池パック２０に供給する。なお、電池温度が変化した場合には、変化後の電池温度に対応した制御情報を充電プロファイルから再度読み出すものとする。
【００２６】
動作状況記録部１２４５は、充電処理部１２４４の電源供給（充電）に係る動作状況を記録する。ここで、充電処理部１２４４の動作状況としては、例えば、充電プロファイルが正常に設定されたか否かを示す設定状況や、電池パック２０への給電量を示す充電状況等が挙げられる。動作状況記録部１２４５は、充電処理部１２４４の動作状況を、多値のフラグ情報や、動作状況そのものを示すステータス情報等を用いて逐次記録する。なお、動作状況の記録先は特に問わないものとする。例えば、動作状況記録部１２４５が内蔵する記録媒体に記録する形態としてもよいし、動作状況記録部１２４５がアクセス可能な外部の記憶媒体に記録する形態としてもよい。また、コントローラ１３に動作状況を通知する形態としてもよい。
【００２７】
図２に戻り、コントローラ１３は、ＡＳＩＣやＣＰＵ等のプロセッサを有し、充電装置１０の全体動作を制御する。また、コントローラ１３は、自己が正常動作していることを通知するため、第３異常検出部１４に対しパルス信号を常時出力する。
【００２８】
また、充電制御部１２４は、各充電ユニット１２の異常検出に係る機能部として、第２異常検出部１３１と、異常報知部１３２とを有する。なお、第２異常検出部１３１及び異常報知部１３２の一方又は両方は、プロセッサと図示しない記録媒体に記録されたプログラムとの協働により実現するソフトウェア構成としてもよいし、専用プロセッサ等のハードウェアにより実現するハードウェア構成としてもよい。
【００２９】
第２異常検出部１３１は、充電ユニット１２（動作状況記録部１２４５）の各々で記録される動作状況に基づいて、当該充電ユニット１２の異常動作をそれぞれ検出する。例えば、第２異常検出部１３１は、記録された動作状況から充電プロファイルの設定が行われていないことを検出した場合や、電池パック２０への給電量が所定の条件に該当した場合に、異常動作を検出したと判定する。
【００３０】
また、第２異常検出部１３１は、何れかの充電ユニット１２で異常動作を検出すると、その充電ユニット１２の第２ＡＮＤ素子１２３にＬ信号を出力する。このＬ信号の出力により、スイッチ素子１２１はオフとなるため、異常動作を検出した充電ユニット１２に対する入力電源の供給が停止する。
【００３１】
このように、第２異常検出部１３１は、何れかの充電ユニット１２で動作の異常が発生した場合に、その充電ユニット１２が設けられたスロット２での充電を抑制するため、不用意に充電が行われてしまうことを防止することができる。以下、コントローラ１３（第２異常検出部１３１）による充電抑制に係る機能を「第２のセーフティ機能」という。
【００３２】
なお、正常動作を確認した充電ユニット１２については、第２異常検出部１３１は、その充電ユニット１２の第２ＡＮＤ素子１２３にＨ信号を出力するものとする。
【００３３】
異常報知部１３２は、各充電ユニット１２の充電状況に応じて、当該充電ユニット１２のスロットに設けられた第２ＬＥＤ５の点灯を制御する。例えば、第２ＬＥＤ５が多色（緑、赤）で発光可能な場合、異常報知部１３２は、電池パック２０の充電中は赤色を点灯させ、充電が完了すると緑色を点灯させる。また、第２異常検出部１３１が何れかの充電ユニット１２で異常動作を検出した場合、異常報知部１３２は、この充電ユニット１２が設けられたスロット２に対応する第２ＬＥＤ５を赤色で点滅させる。これにより、どのスロット２で異常が発生しているかを利用者に報知する。
【００３４】
また、充電ユニット１２（第１異常検出部１２４１）での異常検出時にエラー信号が入力される構成の場合、このエラー信号に応じて報知を行う構成としてもよい。より詳細には、異常報知部１３２は、何れかの充電ユニット１２（第１異常検出部１２４１）からエラー信号を受け付けると、この充電ユニット１２のスロット２に対応する第２ＬＥＤ５を点灯制御することで異常発生を報知する。なお、本構成の場合、エラー信号の受信と、異常動作の検出とで、第２ＬＥＤ５の点滅色や点滅パターン等を異ならせる形態としてもよい。これにより、異常発生の原因が、入力電源にあるのか充電ユニット１２自体にあるのかを特定することができるため、利用者の利便性を向上させることができる。
【００３５】
第３異常検出部１４は、コントローラ１３から入力されるパルス信号に基づいて、コントローラ１３の異常動作を検出する。より詳細には、第３異常検出部１４は、コントローラ１３からのパルス信号が途絶えた場合に、コントローラ１３に異常が発生したと判定する。そして、第３異常検出部１４は、その判定結果に応じた信号（Ｈ信号又はＬ信号）を、各充電ユニット１２の第２ＡＮＤ素子１２３に接続された信号線Ｌ１に出力する。
【００３６】
ここで、図４は、第３異常検出部１４の構成の一例を示す図である。同図に示すように、第３異常検出部１４は、整流部１４１と、平滑部１４２と、信号出力部１４３と、を有する。
【００３７】
整流部１４１は、コントローラ１３から入力されたパルス信号を直流に変換（整流）する。整流部１４１は、例えば、図４に示すようにコンデンサ１４１１とダイオード１４１２とを並列に接続した整流回路等で実現することができる。平滑部１４２は、整流部１４１で整流された電流の中に含まれている脈流を平滑化する。平滑部１４２は、例えば、図示しないコンデンサと抵抗とを並列接続した平滑回路等で実現することができる。
【００３８】
上記した整流部１４１及び平滑部１４２の機能により、コントローラ１３からパルス信号が入力されている間は、正（又は負）の所定レベルに平滑化された出力信号が出力される。また、コントローラ１３からのパルス信号が途絶えると、出力信号は０レベルとなる。
【００３９】
信号出力部１４３は、平滑部１４２から出力される出力信号のレベルに応じて、Ｈ信号又はＬ信号を信号線Ｌ１に出力する。ここで、コントローラ１３から入力されたパルス信号に対し平滑部１４２から正値の出力信号を出力する構成の場合、信号出力部１４３は、例えば、図４の構成を用いることができる。
【００４０】
ここで、トランジスタ１４３１のベースは、平滑部１４２の出力端に接続されている。トランジスタ１４３１のコレクタは、抵抗１４３２の一端とトランジスタ１４３３のベースとに接続されている。トランジスタ１４３１のエミッタは接地されている。また、抵抗１４３２の一方の端子はトランジスタ１４３１のコレクタに接続されており、他方の端子はＨ信号に応じた所定電位の電源線Ｌ２に接続されている。
【００４１】
また、トランジスタ１４３３のベースは、抵抗１４３２の一端とトランジスタ１４３３のベースとに接続されている。トランジスタ１４３３のコレクタは、抵抗１４３４の一端に接続されており、このコレクタ電位が信号線Ｌ１に出力されるよう構成されている。トランジスタ１４３３のエミッタは接地されている。また、抵抗１４３４の一方の端子はトランジスタ１４３３のコレクタに接続されており、他方の端子は電源線Ｌ２に接続されている。
【００４２】
上記構成の信号出力部１４３において、平滑部１４２から所定レベルの出力信号が出力されると、信号出力部１４３は信号線Ｌ１にＨ信号を出力する。また、平滑部１４２の信号レベルが０の場合、信号出力部１４３は信号線Ｌ１にＬ信号を出力する。このＬ信号の出力により各充電ユニット１２のスイッチ素子１２１はオフとなるため、全ての充電ユニット１２に対する入力電源の供給が停止する。
【００４３】
このように、第３異常検出部１４は、コントローラ１３に異常が発生した場合に、全ての充電ユニット１２において充電を抑制するため、不用意に充電が行われてしまうことを防止することができる。以下、第３異常検出部１４による充電抑制に係る機能を「第３のセーフティ機能」という。
【００４４】
図２に戻り、インジケータ部１５は、トランジスタ１５１と、上述した第１ＬＥＤ４とを有する。トランジスタ１５１のベースは信号線Ｌ１に接続されており、エミッタは接地されている。トランジスタ１５１のコレクタは、第１ＬＥＤ４のカソードに接続されている。また、第１ＬＥＤ４のアノードは、第１ＬＥＤ４を発光させることが可能な所定電位の電源線Ｌ３に接続されている。
【００４５】
このインジケータ部１５において、信号線Ｌ１にＨ信号が出力されている場合、トランジスタ１５１のエミッタ−コレクタ間に電流が流れるため、第１ＬＥＤ４が点灯する。また、信号線Ｌ１にＬ信号が出力されている場合、エミッタ−コレクタ間の電流は停止し、第１ＬＥＤ４が消灯する。つまり、コントローラ１３に異常が生じている間、第１ＬＥＤ４は消灯されることになる。これにより、コントローラ１３に異常が発生していることを利用者に報知する。
【００４６】
次に、図５を参照して、上述した各セーフティ機能に係る動作について説明する。ここで、図５は、充電装置１０のセーフティ機能を説明するためのフローチャートである。なお、このフローチャートでは、入力電源の異常検出時に、第１異常検出部１２４１からコントローラ１３にエラー信号を出力する構成を想定している。
【００４７】
まず、第３異常検出部１４では、コントローラ１３から入力されるパルス信号に基づき、コントローラ１３の動作が正常か否かを判定する（ステップＳ１１）。ここで、第３異常検出部１４は、パルス信号の途絶によりコントローラ１３の異常を検出すると、信号線Ｌ１にＬ信号を出力することで、全てのスロット２での充電を抑制する（ステップＳ１２）。ここで、ステップＳ１１及びＳ１２の処理は、第３のセーフティ機能に相当する。
【００４８】
続いて、インジケータ部１５は、信号線Ｌ１へのＬ信号の出力に伴い第１ＬＥＤ４を消灯することで、コントローラ１３に異常が発生したことを報知し（ステップＳ１３）、処理を終了する。
【００４９】
一方、ステップＳ１１でコントローラ１３の正常動作が確認された場合、各スロット２の充電ユニット１２では、続くステップＳ１４及びＳ１５の処理を実行する。
【００５０】
まず、充電制御部１２４の第１異常検出部１２４１は、入力電源の値が所定範囲内にあるか否かに基づき、当該入力電源が正常か否かを判定する（ステップＳ１４）。ここで、入力電源の異常を検出した場合（ステップＳ１４；Ｎｏ）、第１異常検出部１２４１は、第１ＡＮＤ素子１２２にＬ信号を出力することで、自スロットでの充電を抑制する（ステップＳ１５）。ここで、ステップＳ１４及びＳ１５の処理は、第１のセーフティ機能に相当する。
【００５１】
そして、第１異常検出部１２４１は、コントローラ１３に対しエラー信号を出力する。コントローラ１３の異常報知部１３２は、エラー信号を受け付けると、該当するスロット２の第２ＬＥＤ５を点灯制御することで、利用者に異常発生を報知し（ステップＳ１６）、処理を終了する。
【００５２】
一方、ステップＳ１４において、入力電源が正常と判定された充電ユニット１２には（ステップＳ１４；Ｙｅｓ）、電源部１１から入力電源が供給される。ここで、スロット２に電池パック２０が装着されると（ステップＳ１７）、充電制御部１２４は電池パック２０の充電を開始する（ステップＳ１８）。この時、動作状況記録部１２４５は、充電処理部１２４４の動作状況を記録する。
【００５３】
続いて、コントローラ１３の第２異常検出部１３１は、充電ユニット１２（動作状況記録部１２４５）で記録される動作状況に基づき、充電ユニット１２による充電動作が正常か否かを判定する（ステップＳ１９）。ここで、正常と判定した充電ユニット１２については（ステップＳ１９；Ｙｅｓ）、その充電動作を継続させたまま本処理を終了する。
【００５４】
また、ステップＳ１９において、異常を検出した場合（ステップＳ１９；Ｎｏ）、第２異常検出部１３１は、その充電ユニット１２の第２ＡＮＤ素子１２３にＬ信号を出力することで、異常を検出したスロットでの充電を抑制する（ステップＳ２０）。ここで、ステップＳ１９及びＳ２０の処理は、第２のセーフティ機能に相当する。
【００５５】
また、コントローラ１３の異常報知部１３２は、ステップＳ１９で異常が検出された充電ユニット１２に対応する第２ＬＥＤ５の点灯を制御することで、利用者に異常発生を報知し（ステップＳ２１）、本処理を終了する。
【００５６】
以上のように、本実施形態の充電装置１０では、第１、第２及び第３のセーフティ機能により、充電装置１０における入力電源、充電ユニット１２、コントローラ１３の異常を検出する。また、検出した要因に応じてスロット２（充電ユニット１２）での充電を個別又は全体で抑制する。これにより、充電装置１０で異常が発生した場合に、不用意に充電が行われてしまうことを防ぐことができるため、充電に係る安全性を向上させることができる。
【００５７】
また、本実施形態の充電装置１０では、充電装置１０に異常が発生した場合に、第１ＬＥＤ４及び第２ＬＥＤ５を用いて利用者に報知する。これにより、利用者は充電装置１０の異常に対して迅速に対応することができるため、利用者の利便性を向上させることができる。
【００５８】
また、本実施形態の充電装置１０では、第１、第２及び第３のセーフティ機能による充電の抑制を、充電ユニット１２の各々に設けられたスイッチ素子１２１、第１ＡＮＤ素子１２２及び第２ＡＮＤ素子１２３の論理構成（論理積）により実現する。これにより、異常発生時における充電の抑制を効率的に行うことができる。
【００５９】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００６０】
例えば、図５で説明したフローチャートでは、第３のセーフティ機能、第１のセーフティ機能、第２のセーフティ機能の順に発揮する形態としたが、これに限らないものとする。例えば、各機能を発揮する順序を入れ替えたり、各機能を独立した処理として実行する形態としてもよい。
【符号の説明】
【００６１】
１０  充電装置
１１  電源部
１２  充電ユニット
１２１  スイッチ素子
１２２  第１ＡＮＤ素子
１２３  第２ＡＮＤ素子
１２４  充電制御部
１２４１  第１異常検出部
１２４２  充電プロファイル設定部
１２４３  温度検出部
１２４４  充電処理部
１２４５  動作状況記録部
１３  コントローラ
１３１  第２異常検出部
１３２  異常報知部
１４  第３異常検出部
１４１  整流部
１４２  平滑部
１４３  信号出力部
１５  インジケータ部
２０  電池パック
【先行技術文献】
【特許文献】
【００６２】
【特許文献１】特開２００７−１８７６１号公報
【図１】
2014110652.tif 000003
【図２】
2014110652.tif 000004
【図３】
2014110652.tif 000005
【図４】
2014110652.tif 000006
【図５】
2014110652.tif 000007